(57)【要約】      （修正有）【課題】周囲の環境に応じた電力を適切に出力することが可能なパワーコンディショナを提供する。【解決手段】パワーコンディショナ１００は、太陽電池２００の出力電圧ＶＰＶを、開放電圧から、ＭＰＰＴ（最大電力点追従）制御の下限の電圧まで変化させる電圧スイープ部１２と、出力電圧ＶＰＶが変化させられる間におけるピーク電圧値を保持すピーク電圧保持部１３と、ＭＰＰＴ制御を行うＭＰＰＴ制御部１４と、を備える。そして、太陽電池２００の出力電力ＰＰＶが、ＭＰＰＴ制御の開始レベルの電力未満である場合に、ＭＰＰＴ制御を行わずに、ピーク電圧保持部１３に保持されたピーク電圧値を目標電圧として制御するように構成される。【選択図】図１
2018195225.tif 000002
【特許請求の範囲】
【請求項１】
発電電力源からの直流電力を交流電力に変換し、前記発電電力源を系統電源に連系させるパワーコンディショナであって、
前記発電電力源の出力電圧を、開放電圧から、最大電力点追従制御の下限の電圧まで変化させる電圧変化部と、
前記電圧変化部によって前記発電電力源の出力電圧が変化される間におけるピーク電力値に対応するピーク電圧値を保持するピーク電圧保持部と、
前記発電電力源の出力電圧と前記発電電力源の出力電力とに基づいて、前記最大電力点追従制御を行う最大電力点追従制御部と、を備え、
前記発電電力源の出力電力が、前記最大電力点追従制御の開始レベルの電力未満である場合に、前記最大電力点追従制御を行わずに、前記ピーク電圧保持部に保持された前記ピーク電圧値を目標電圧として制御するように構成されている、パワーコンディショナ。
【請求項２】
前記発電電力源の出力電圧と前記発電電力源の出力電力とに基づいて、前記電圧変化部から出力される第１電圧を前記目標電圧とする第１モード、前記ピーク電圧保持部から出力される第２電圧を前記目標電圧とする第２モード、または、前記最大電力点追従制御部から出力される第３電圧を前記目標電圧とする第３モードのいずれかのモードに切り替えるモード切替部をさらに備える、請求項１に記載のパワーコンディショナ。
【請求項３】
前記第１モードにおいて、前記発電電力源の出力電圧を開放電圧から前記最大電力点追従制御の下限の電圧まで変化させた場合において、常に、前記発電電力源の出力電力が前記最大電力点追従制御の開始レベルの電力未満である場合、前記モード切替部は、前記第１モードから前記第２モードに切り替えるように構成されている、請求項２に記載のパワーコンディショナ。
【請求項４】
前記第２モードにおいて、前記発電電力源の出力電力が前記最大電力点追従制御の開始レベルの電力以上になった場合、前記モード切替部は、前記第２モードから前記第３モードに切り替えるように構成されている、請求項３に記載のパワーコンディショナ。
【請求項５】
前記第１モードにおいて、前記発電電力源の出力電力が、前記最大電力点追従制御の開始レベルの電力以上になった場合、前記モード切替部は、前記第１モードから前記第３モードに切り替えるように構成されている、請求項２〜４のいずれか１項に記載のパワーコンディショナ。
【請求項６】
前記第１モードにおいて、前記発電電力源の出力電力が、前記最大電力点追従制御の開始レベルの電力以上になった場合に、前記電圧変化部による電圧の変化を一旦停止させ、その後所定の時間の間、前記発電電力源の出力電力が、前記最大電力点追従制御の開始レベルの電力以上に維持されている場合、前記モード切替部は、前記第１モードから前記第３モードに切り替えるように構成されている、請求項５に記載のパワーコンディショナ。
【請求項７】
前記第１モードは、前記発電電力源を前記系統電源に連系させる連系運転開始時に行われるように構成されている、請求項２〜５のいずれか１項に記載のパワーコンディショナ。
【請求項８】
前記第３モードにおいて、前記発電電力源の出力電力が、前記最大電力点追従制御の開始レベルの電力未満になった場合に、前記最大電力点追従制御部から出力されていた前記第３電圧を前記目標電圧として制御するように構成されている、請求項２〜７のいずれか１項に記載のパワーコンディショナ。
【発明の詳細な説明】
【技術分野】
【０００１】
この発明は、パワーコンディショナに関し、特に、最大電力点追従制御を行う最大電力点追従制御部を備えるパワーコンディショナに関する。
【背景技術】
【０００２】
従来、最大電力点追従制御を行う最大電力点追従制御部を備えるパワーコンディショナが知られている（たとえば、特許文献１参照）。
【０００３】
上記特許文献１には、太陽電池と、太陽電池から出力された直流電力を交流電力に変換する電力変換手段と、太陽電池の出力電圧を制御する制御部とを備える太陽光発電装置が開示されている。この太陽光発電装置では、制御部は、太陽電池の出力電流および出力電圧に基づいて、ＭＰＰＴ（Ｍａｘｉｍｕｍ  Ｐｏｗｅｒ  Ｐｏｉｎｔ  Ｔｒａｃｋｉｎｇ）制御を行うように構成されている。なお、ＭＰＰＴ制御とは、周囲の環境（温度）などの変化により変動する太陽電池の最適動作点（最大の電力を出力する点）に追従するように、太陽電池の出力電流および出力電圧を制御する（変化させる）ことである。具体的には、ＭＰＰＴ制御では、太陽電池からの出力電力が大きくなるように、太陽電池の出力電圧を、所定の電圧変化幅で段階的に変化させる。
【０００４】
なお、ＭＰＰＴ制御では、低日射時などのように太陽電池からの出力電力が比較的小さい場合（電力の変化が少ない場合）など、出力電圧を段階的に変化させる前後における出力電力の大小関係の判断が困難な場合がある。たとえば、出力電力の変化量が、出力電力の変化を検出するための検出器の分解能未満の場合などである。この場合、ＭＰＰＴ制御の動作が不安定になり、太陽電池の出力電流および出力電圧を最適動作点に追従させるのが困難になる。その結果、太陽電池からの出力電力が低下してしまう場合がある。すなわち、日射量などの周囲の環境に応じた電力を出力するように制御できない場合がある。そこで、上記特許文献１に記載のような従来の太陽光発電装置では、制御部は、太陽電池の出力電力が所定の値よりも小さい場合、太陽電池の出力電圧を、予め定められた一定の値に固定するように構成されている。これにより、ＭＰＰＴ制御の動作が不安定になることに起因して、太陽電池からの出力電力が低下する（過度に低下する）のが抑制されている。
【先行技術文献】
【特許文献】
【０００５】
【特許文献１】特開平１１−２８２５５４号公報
【発明の概要】
【発明が解決しようとする課題】
【０００６】
ここで、太陽電池からの出力電圧と出力電流との特性は、周囲の温度などの環境によって変化する。しかしながら、上記特許文献１に記載のような従来の太陽光発電装置では、制御部は、太陽電池の出力電力が所定の値よりも小さい場合、太陽電池の出力電圧を予め定められた一定の値に固定するため、この一定の出力電圧が周囲の環境に適切に対応していない場合がある。すなわち、周囲の環境が、本来であれば発電量を大きくすることが可能な条件であった場合でも、太陽電池の出力電圧が、周囲の環境に係わらず一定の値に固定されているため、発電される電力が小さく抑えられてしまう場合がある。つまり、上記特許文献１に記載のような従来の太陽光発電装置では、周囲の環境（日射量など）に応じた電力を適切に出力できない場合があるという問題点がある。
【０００７】
この発明は、上記のような課題を解決するためになされたものであり、この発明の１つの目的は、周囲の環境に応じた電力を適切に出力することが可能なパワーコンディショナを提供することである。
【課題を解決するための手段】
【０００８】
上記目的を達成するために、この発明の一の局面によるパワーコンディショナは、発電電力源からの直流電力を交流電力に変換し、発電電力源を系統電源に連系させるパワーコンディショナであって、発電電力源の出力電圧を、開放電圧から、最大電力点追従制御の下限の電圧まで変化させる電圧変化部と、電圧変化部によって発電電力源の出力電圧が変化される間におけるピーク電力値に対応するピーク電圧値を保持するピーク電圧保持部と、発電電力源の出力電圧と発電電力源の出力電力とに基づいて、最大電力点追従制御を行う最大電力点追従制御部と、を備え、発電電力源の出力電力が、最大電力点追従制御の開始レベルの電力未満である場合に、最大電力点追従制御を行わずに、ピーク電圧保持部に保持されたピーク電圧値を目標電圧として制御するように構成されている。
【０００９】
この発明の一の局面によるパワーコンディショナは、上記のように、発電電力源の出力電力が、最大電力点追従制御の開始レベルの電力未満である場合に、最大電力点追従制御を行わずに、ピーク電圧保持部に保持されたピーク電圧値を目標電圧として制御するように構成されている。これにより、ピーク電圧値は、周囲の環境に応じて変化する値であるので、ピーク電圧値を目標電圧として制御することによって、現在の環境における最大の（ピークの）電力を出力することができる。その結果、周囲の環境に応じた電力を適切に出力することができる。
【００１０】
上記一の局面によるパワーコンディショナにおいて、好ましくは、発電電力源の出力電圧と発電電力源の出力電力とに基づいて、電圧変化部から出力される第１電圧を目標電圧とする第１モード、ピーク電圧保持部から出力される第２電圧を目標電圧とする第２モード、または、最大電力点追従制御部から出力される第３電圧を目標電圧とする第３モードのいずれかのモードに切り替えるモード切替部をさらに備える。このように構成すれば、モード切替部により、第１モード、第２モードおよび第３モードのいずれかにモードを迅速に切り替えることができるので、周囲の環境に応じたモードに迅速に切り替えることができる。
【００１１】
この場合、好ましくは、第１モードにおいて、発電電力源の出力電圧を開放電圧から最大電力点追従制御の下限の電圧まで変化させた場合において、常に、発電電力源の出力電力が最大電力点追従制御の開始レベルの電力未満である場合、モード切替部は、第１モードから第２モードに切り替えるように構成されている。このように構成すれば、発電電力源の出力電力が常に開始レベルの電力未満である比較的発電量の小さい環境において、確実に、第２モードに切り替えることができる。
【００１２】
上記第１モードから第２モードに切り替えるパワーコンディショナにおいて、好ましくは、第２モードにおいて、発電電力源の出力電力が最大電力点追従制御の開始レベルの電力以上になった場合、モード切替部は、第２モードから第３モードに切り替えるように構成されている。このように構成すれば、周囲の環境が、比較的発電量の小さい環境（第２モード）から、比較的発電量を大きくすることが可能な環境に変化した場合でも、周囲の環境に応じた電力を適切に出力することができる。
【００１３】
上記モード切替部を備えるパワーコンディショナにおいて、好ましくは、第１モードにおいて、発電電力源の出力電力が、最大電力点追従制御の開始レベルの電力以上になった場合、モード切替部は、第１モードから第３モードに切り替えるように構成されている。このように構成すれば、電圧変化部によって発電電力源の出力電圧を開放電圧から最大電力点追従制御の下限の電圧まで変化させることなく、第３モードに切り替えることができる。その結果、周囲の環境に応じた電力を迅速に出力することができる。
【００１４】
この場合、好ましくは、第１モードにおいて、発電電力源の出力電力が、最大電力点追従制御の開始レベルの電力以上になった場合に、電圧変化部による電圧の変化を一旦停止させ、その後所定の時間の間、発電電力源の出力電力が、最大電力点追従制御の開始レベルの電力以上に維持されている場合、モード切替部は、第１モードから第３モードに切り替えるように構成されている。このように構成すれば、一時的に発電電力源の出力電力が最大電力点追従制御の開始レベルの電力以上になった場合には、第３モードに切り替わらない。すなわち、第３モードによる制御（最大電力点追従制御）を行うのに適切でない比較的発電量の小さい環境で、第３モードによる制御（最大電力点追従制御）が行われるのを抑制することができる。
【００１５】
上記モード切替部を備えるパワーコンディショナにおいて、好ましくは、第１モードは、発電電力源を系統電源に連系させる連系運転開始時に行われるように構成されている。このように構成すれば、連系運転開始時にピーク電圧値が取得されるので、連系運転開始時の発電量が比較的小さい場合でも、第２モードにスムーズに切り替えることができる。
【００１６】
上記モード切替部を備えるパワーコンディショナにおいて、好ましくは、第３モードにおいて、発電電力源の出力電力が、最大電力点追従制御の開始レベルの電力未満になった場合に、最大電力点追従制御部から出力されていた第３電圧を目標電圧として制御するように構成されている。このように構成すれば、低日射時においても、発電電力源による発電を安定的に継続することができる。
【発明の効果】
【００１７】
本発明によれば、上記のように、周囲の環境に応じた電力を適切に出力することができる。
【図面の簡単な説明】
【００１８】
【図１】一実施形態によるパワーコンディショナの構成を示すブロック図である。
【図２】太陽電池の電流−電圧特性、および、電力−電圧特性の一例を示す図である。
【図３】電力制御モードの切り替えを説明するための図である。
【図４】（ａ）太陽電池の電力−電圧特性、（ｂ）太陽電池の出力電力（出力電圧）の時間変化を示す図（第１のケース）である。
【図５】（ａ）太陽電池の電力−電圧特性、（ｂ）太陽電池の出力電力（出力電圧）の時間変化を示す図（第２のケース）である。
【図６】（ａ）太陽電池の電力−電圧特性、（ｂ）太陽電池の出力電力（出力電圧）の時間変化を示す図（第３のケース）である。
【発明を実施するための形態】
【００１９】
以下、本発明を具体化した実施形態を図面に基づいて説明する。
【００２０】
図１〜図６を参照して、本実施形態によるパワーコンディショナ１００の構成について説明する。パワーコンディショナ１００は、太陽電池２００からの直流電力を交流電力に変換し、太陽電池２００を、系統連系ブレーカ１を介して、系統電源３００に連系させるように構成されている。なお、太陽電池２００は、特許請求の範囲の「発電電力源」の一例である。
【００２１】
（パワーコンディショナの構成）
図１に示すように、パワーコンディショナ１００は、インバータ２を備えている。インバータ２は、太陽電池２００から出力された直流電力を交流電力に変換するように構成されている。そして、インバータ２により変換された交流電力は、インダクタ３およびコンデンサ４を介して、系統電源３００に出力される。なお、インダクタ３およびコンデンサ４によってＬＣフィルタが構成されている。ＬＣフィルタは、系統電源３００に出力される交流電力に含まれる高調波電流を除去するノイズ除去フィルタとして機能する。
【００２２】
また、パワーコンディショナ１００は、電圧センサ５を備えている。電圧センサ５は、太陽電池２００の出力電圧ＶＰＶ［Ｖ］を測定するように構成されている。また、パワーコンディショナ１００は、電圧センサ６を備えている。電圧センサ６は、インバータ２の出力電圧を測定するように構成されている。
【００２３】
また、パワーコンディショナ１００は、電流センサ７を備えている。電流センサ７は、太陽電池２００の出力電流ＩＰＶを測定するように構成されている。また、パワーコンディショナ１００は、電流センサ８を備えている。電流センサ８は、インバータ２の出力電流を測定するように構成されている。
【００２４】
（制御部の構成）
パワーコンディショナ１００、制御部１０を備えている。制御部１０は、太陽電池２００から可及的に（可能な限り）大きい電力が出力されるように、太陽電池２００からの出力電力ＰＰＶ［Ｗ］を制御するように構成されている。具体的には、制御部１０は、太陽電池２００からの出力電圧ＶＰＶが目標電圧に一致するように、インバータ２からの出力電力ＰＰＶを制御する。以下、制御部１０の構成を具体的に説明する。
【００２５】
制御部１０は、電力演算部１１を含む。電力演算部１１には、電圧センサ５により測定された太陽電池２００の出力電圧ＶＰＶと、電流センサ７により測定された太陽電池２００の出力電流ＩＰＶとが入力される。そして、電力演算部１１は、入力された太陽電池２００の出力電圧ＶＰＶと出力電流ＩＰＶとに基づいて、太陽電池２００の出力電力ＰＰＶを演算するように構成されている。また、演算された太陽電池２００の出力電力ＰＰＶは、後述する、電圧スイープ部１２、ピーク電圧保持部１３、ＭＰＰＴ制御部１４、および、モード切替部１５に出力される。
【００２６】
制御部１０は、電圧スイープ部１２を含む。電圧スイープ部１２には、電圧センサ５によって検知された太陽電池２００の出力電圧ＶＰＶと、電力演算部１１によって演算された太陽電池２００の出力電力ＰＰＶとが入力される。そして、電圧スイープ部１２は、太陽電池２００の出力電圧ＶＰＶを、開放電圧から、最大電力点追従制御（ＭＰＰＴ制御）の下限の電圧ＶＬＯＷ＿ＬＩＭまで変化させる（スイープさせる）ように構成されている。なお、以下では、太陽電池２００の出力電圧ＶＰＶを開放電圧からＭＰＰＴ制御の下限の電圧ＶＬＯＷ＿ＬＩＭまで変化させる際（以下、スイープモードという）の目標電圧を、目標電圧ＶＰＶ＊＿ＳＷＥＥＰと記載する。また、電圧スイープ部１２は、特許請求の範囲の「電圧変化部」の一例である。また、スイープモードは、特許請求の範囲の「第１モード」の一例である。なお、開放電圧とは、太陽電池２００の出力端に負荷をつながずに、電流を流さない状態で測定された電圧である。また、ＭＰＰＴ制御の下限の電圧ＶＬＯＷ＿ＬＩＭとは、ＭＰＰＴ制御を行うために必要な下限の出力電力ＰＰＶに対応する電圧ＶＬＯＷ＿ＬＩＭである。
【００２７】
ここで、本実施形態では、スイープモードは、太陽電池２００を系統電源３００に連系させる連系運転開始時に行われるように構成されている。たとえば、スイープモードは、夜明けから徐々に日射量が増加した後、太陽電池２００を系統電源３００に連系させる際に行われる。また、スイープモードは、日中において日射量が低下し、太陽電池２００の系統電源３００への連系が解除された後、再び、太陽電池２００が系統電源３００に連系された際に行われる。
【００２８】
制御部１０は、ピーク電圧保持部１３を含む。ピーク電圧保持部１３は、電圧スイープ部１２によって太陽電池２００の出力電圧ＶＰＶが変化される間におけるピーク電力値、および、ピーク電力値に対応するピーク電圧値を保持するように構成されている。なお、ピーク電力値とは、電圧スイープ部１２によって太陽電池２００の出力電圧ＶＰＶが変化される間における出力電力ＰＰＶの最大値である。ピーク電圧値は、出力電力ＰＰＶが最大値である場合の出力電圧ＶＰＶである。なお、以下では、太陽電池２００の出力電圧ＶＰＶがピーク電圧値になるように制御する際（以下、グローバルピークモードという）の目標電圧を、目標電圧ＶＰＶ＊＿ＧＰＥＡＫと記載する。また、グローバルピークモードは、特許請求の範囲の「第２モード」の一例である。
【００２９】
制御部１０は、ＭＰＰＴ制御部１４を含む。ＭＰＰＴ制御部１４は、太陽電池２００の出力電圧ＶＰＶと太陽電池２００の出力電力ＰＰＶとに基づいて、ＭＰＰＴ（Ｍａｘｉｍｕｍ  Ｐｏｗｅｒ  Ｐｏｉｎｔ  Ｔｒａｃｋｉｎｇ）制御を行うように構成されている。具体的には、ＭＰＰＴ制御部１４は、太陽電池２００からの出力電力ＰＰＶが最大になるように、太陽電池２００の出力電圧ＶＰＶを、所定の電圧変化幅で段階的に変化させるように構成されている。なお、この方法は、山登り法と呼ばれる。なお、以下では、山登り法を用いたＭＰＰＴ制御を行う際（以下、ＭＰＰＴモードという）の目標電圧を、目標電圧ＶＰＶ＊＿ＭＰＰＴと記載する。また、ＭＰＰＴ制御部１４は、特許請求の範囲の「最大電力点追従制御部」の一例である。また、ＭＰＰＴモードは、特許請求の範囲の「第３モード」の一例である。
【００３０】
山登り法について、具体的に説明する。まず、図２に示すように、太陽電池２００の電圧−電流特性（ＩＶ特性）は、図２の点線で示すような曲線になる。具体的には、電圧の増加とともに電流は徐々に減少した後、電流は急減に減少する。そして、太陽電池２００の電圧−電力特性（ＰＶ特性）は、図２の実線で示すように、ある動作点で電力が最大になる曲線（ＰＶカーブ）になる。そこで、パワーコンディショナ１００は、太陽電池２００の出力電力ＰＰＶが、常に、最大になるように太陽電池２００の出力電流ＩＰＶを調整する。これにより、太陽電池２００の発電量が最大になる。
【００３１】
なお、太陽電池２００の電圧−電力特性（ＰＶ特性）は、太陽電池２００に照射される日射量や、太陽電池２００の温度（パネル温度）などの周囲の環境によって変化する。そこで、パワーコンディショナ１００は、周囲の環境が変化することに起因して電力が最大になる動作点が変化した場合でも、常に、変化した動作点に追従するように制御を行う。パワーコンディショナ１００は、たとえば、ＭＰＰＴ（Ｍａｘｉｍｕｍ  Ｐｏｗｅｒ  Ｐｏｉｎｔ  Ｔｒａｃｋｉｎｇ）制御により、変化した動作点に追従するように制御を行う。
【００３２】
ＭＰＰＴ制御では、太陽電池２００の出力電圧ＶＰＶと出力電流ＩＰＶとの組み合わせ（つまり、太陽電池２００の動作点）を、太陽電池２００の出力電力ＰＰＶが最大になる最大電力点（最適動作点）に追従させる。また、ＭＰＰＴ制御を行うための具体的なアルゴリズムは、たとえば、山登り法である。山登り法では、まず、太陽電池２００の出力電圧ＶＰＶと出力電流ＩＰＶとが測定される。そして、測定された太陽電池２００の出力電圧ＶＰＶと出力電流ＩＰＶとに基づいて太陽電池２００の出力電力ＰＰＶが演算される。そして、今回演算された出力電力ＰＰＶと、前回演算された出力電力ＰＰＶとを比較し、比較結果に基づいて、太陽電池２００の動作点が最大電力点に近づくように、太陽電池２００の出力電圧ＶＰＶが制御される。
【００３３】
また、本実施形態では、図１に示すように、制御部１０は、モード切替部１５を含む。モード切替部１５は、太陽電池２００の出力電圧ＶＰＶと太陽電池２００の出力電力ＰＰＶとに基づいて、電圧スイープ部１２から出力される目標電圧ＶＰＶ＊＿ＳＷＥＥＰを目標電圧とするスイープモード、ピーク電圧保持部１３から出力される目標電圧ＶＰＶ＊＿ＧＰＥＡＫを目標電圧とするグローバルピークモード、または、ＭＰＰＴ制御部１４から出力される目標電圧ＶＰＶ＊＿ＭＰＰＴを目標電圧とするＭＰＰＴモードのいずれかのモード（電力制御モード）に切り替えるように構成されている。モード切替部１５は、電力演算部１１、電圧スイープ部１２、ピーク電圧保持部１３、および、ＭＰＰＴ制御部１４と連携しながら、電力制御モードを切り替えるように構成されている。なお、目標電圧ＶＰＶ＊＿ＳＷＥＥＰは、特許請求の範囲の「第１電圧」の一例である。また、目標電圧ＶＰＶ＊＿ＧＰＥＡＫは、特許請求の範囲の「第２電圧」の一例である。また、目標電圧ＶＰＶ＊＿ＭＰＰＴは、特許請求の範囲の「第３電圧」の一例である。
【００３４】
そして、本実施形態では、太陽電池２００の出力電力ＰＰＶが、ＭＰＰＴ制御の開始レベルの電力ＰＭＰＰＴ未満である場合に、ＭＰＰＴ制御を行わずに、ピーク電圧保持部１３に保持されたピーク電圧値を目標電圧ＶＰＶ＊＿ＧＰＥＡＫとして制御するように構成されている。具体的には、図３に示すように、スイープモードにおいて、太陽電池２００の出力電圧ＶＰＶを開放電圧からＭＰＰＴ制御の下限の電圧ＶＬＯＷ＿ＬＩＭまで変化させた場合において、常に、太陽電池２００の出力電力ＰＰＶがＭＰＰＴ制御の開始レベルの電力ＰＭＰＰＴ未満である場合、モード切替部１５は、スイープモードからグローバルピークモードに切り替えるように構成されている。すなわち、目標電圧が、目標電圧ＶＰＶ＊＿ＳＷＥＥＰから、目標電圧ＶＰＶ＊＿ＧＰＥＡＫに切り替えられる。
【００３５】
また、本実施形態では、図３に示すように、グローバルピークモードにおいて、太陽電池２００の出力電力ＰＰＶがＭＰＰＴ制御の開始レベルの電力ＰＭＰＰＴ以上になった場合、モード切替部１５は、グローバルピークモードからＭＰＰＴモードに切り替えるように構成されている。すなわち、目標電圧が、目標電圧ＶＰＶ＊＿ＧＰＥＡＫから、目標電圧ＶＰＶ＊＿ＭＰＰＴに切り替えられる。
【００３６】
また、本実施形態では、図３に示すように、スイープモードにおいて、太陽電池２００の出力電力ＰＰＶが、ＭＰＰＴ制御の開始レベルの電力ＰＭＰＰＴ以上になった場合、モード切替部１５は、スイープモードからＭＰＰＴモードに切り替えるように構成されている。具体的には、スイープモードにおいて太陽電池２００の出力電力ＰＰＶが、ＭＰＰＴ制御の開始レベルの電力ＰＭＰＰＴ以上になった場合に、電圧スイープ部１２による電圧の変化を一旦停止させる。そして、その後所定の時間（たとえば、１０秒）経過後、太陽電池２００の出力電力ＰＰＶが、ＭＰＰＴ制御の開始レベルの電力ＰＭＰＰＴ以上に維持されている場合、モード切替部１５は、スイープモードからＭＰＰＴモードに切り替える。すなわち、目標電圧が、目標電圧ＶＰＶ＊＿ＳＷＥＥＰから、目標電圧ＶＰＶ＊＿ＭＰＰＴに切り替えられる。
【００３７】
また、図１に示すように、制御部１０は、有効電流制御部１６を含む。有効電流制御部１６には、電圧センサ５から太陽電池２００の出力電圧ＶＰＶが入力される。また、有効電流制御部１６には、モード切替部１５から、目標電圧（目標電圧ＶＰＶ＊＿ＳＷＥＥＰ、目標電圧ＶＰＶ＊＿ＧＰＥＡＫ、または、目標電圧ＶＰＶ＊＿ＭＰＰＴ）が入力される。そして、有効電流制御部１６は、電圧センサ５からの出力電圧ＶＰＶと、目標電圧との差分値に基づいて、有効電流指令値を演算し、演算した有効電流指令値を電流指令演算部１７に出力する。
【００３８】
また、制御部１０は、無効電流制御部１８を含む。無効電流制御部１８は、系統電源３００の電圧の維持や、太陽電池２００およびパワーコンディショナ１００を含むシステムの単独運転の検出のための無効電流指令値を演算するように構成されている。そして、無効電流制御部１８は、演算した無効電流指令値を電流指令演算部１７に出力する。
【００３９】
また、制御部１０は、電流指令演算部１７を含む。電流指令演算部１７は、入力された有効電流指令値および無効電流指令値に基づいて、交流電流指令を演算するとともに、演算した交流電流指令を電流制御演算部１９に出力するように構成されている。
【００４０】
また、制御部１０は、電流制御演算部１９を含む。電流制御演算部１９は、入力された交流電流指令と、電圧センサ６によって測定されたインバータ２の出力電圧と、電流センサ８によって測定されたインバータ２の出力電流とに基づいて、インバータ２の電圧指令値を演算する。また、電流制御演算部１９は、演算された電圧指令値を、ＰＷＭ演算部２０に出力する。
【００４１】
また、制御部１０は、ＰＷＭ演算部２０を含む。ＰＷＭ演算部２０は、入力された電圧指令値に基づいて、インバータ２に含まれるスイッチング素子（図示せず）のゲートパルスを演算する。そして、ＰＷＭ演算部２０は、演算されたゲートパルスをインバータ２に出力する。そして、インバータ２では、入力されたゲートパルスに基づいて、スイッチング素子が動作される。これにより、太陽電池２００からの出力電圧ＶＰＶは、所望の目標電圧に制御される。その結果、可及的に最大電力が太陽電池２００から出力される。
【００４２】
なお、制御部１０の各部は、たとえば、ＣＰＵ（Ｃｅｎｔｒａｌ  Ｐｒｏｃｅｓｓｉｎｇ  Ｕｎｉｔ）などのプロセッサ、ＦＰＧＡ（Ｆｉｅｌｄ  Ｐｒｏｇｒａｍｍａｂｌｅ  Ｇａｔｅ  Ａｒｒａｙ）、および、ＰＬＤ（Ｐｒｏｇｒａｍｍａｂｌｅ  Ｌｏｇｉｃ  Ｄｅｖｉｃｅ）などのハードウェアによって構成されていてもよい。また、制御部１０の各部は、コンピュータによって実行されるプログラムなどのソフトウェアによって構成されていてもよい。
【００４３】
次に、図３〜図６を参照して、パワーコンディショナ１００（制御部１０）の具体的な動作を説明する。
【００４４】
〈待機モード〉
図３に示すように、太陽電池２００およびパワーコンディショナ１００を含むシステムの操作員によって、パワーコンディショナ１００の電源が投入されると、待機モードが実行される。待機モードでは、所定の運転条件が満たされた場合に、系統連系ブレーカ１（図１参照）がオンされて、太陽電池２００が系統電源３００に連系される。すなわち、連系運転が開始される。なお、所定の運転条件は、たとえば、系統電源３００に異常（交流の過電圧、交流の電圧不足、周波数の上昇、周波数の低下など）が無いこと、パワーコンディショナ１００の内部に異常（系統連系ブレーカ１のアンサー異常、制御部１０の異常など）が無いこと、太陽電池２００に照射される日射量が連系運転を行うのに十分であること、などである。なお、太陽電池２００に照射される日射量が連系運転を行うのに十分であるか否かは、電圧センサ５により測定された太陽電池２００の出力電圧ＶＰＶに基づいて判断される。
【００４５】
なお、モード切替部１５の初期状態では、電力制御モードは、スイープモードに設定されている。すなわち、系統運転の開示時の電力制御モードは、スイープモードである。
【００４６】
また、系統電源３００の異常の有無、および、パワーコンディショナ１００の内部の異常の有無、および、太陽電池２００の出力電圧ＶＰＶの大小は、待機モード以外の電力制御モードにおいて判断（監視）されていてもよい。特に、太陽電池２００の出力電圧ＶＰＶの大小は、天候や気温などの自然条件に左右される。このため、待機モードと連系運転とが繰り返される場合（系統連系ブレーカ１のオンオフが繰り返される場合）がある。そこで、太陽電池２００の出力電圧ＶＰＶの大小に起因する待機モードへの切り替え時には、系統連系ブレーカ１をオフ（開放）せずに、インバータ２のゲートブロックにより発電を停止させてもよい。なお、ゲートブロックとは、インバータ２からの出力電流を停止させることを意味する。
【００４７】
〈スイープモード〉
電圧スイープ部１２は、電圧センサ５から入力された太陽電池２００の出力電圧ＶＰＶを監視し、目標電圧ＶＰＶ＊＿ＳＷＥＥＰを開放電圧からＭＰＰＴ制御の下限の電圧ＶＬＯＷ＿ＬＩＭまで徐々に変化させる。電圧スイープ部１２から出力された目標電圧ＶＰＶ＊＿ＳＷＥＥＰは、モード切替部１５を介して、有効電流制御部１６に入力される。そして、インバータ２は、有効電流制御部１６に入力された目標電圧ＶＰＶ＊＿ＳＷＥＥＰに基づいて、太陽電池２００の出力電圧ＶＰＶが開放電圧からＭＰＰＴ制御の下限の電圧ＶＬＯＷ＿ＬＩＭまで変化するように起動および動作する。
【００４８】
電力演算部１１は、電圧センサ５により測定された出力電圧ＶＰＶと、電流センサ７により測定された出力電流ＩＰＶとに基づいて、太陽電池２００の出力電力ＰＰＶを逐次（たとえば、一定の時間間隔ごとに）演算する。電力演算部１１は、演算した出力電力ＰＰＶを、電圧スイープ部１２、ピーク電圧保持部１３、および、ＭＰＰＴ制御部１４に出力する。
【００４９】
ピーク電圧保持部１３は、待機モード時の太陽電池２００の出力電圧ＶＰＶである開放電圧を目標電圧ＶＰＶ＊＿ＧＰＥＡＫの初期値として保持する。また、ピーク電圧保持部１３は、太陽電池２００の動作開始レベル（電力）を、太陽電池２００の出力電力ＰＰＶの初期値として保持する。なお、太陽電池２００の動作開始レベル（電力）とは、太陽電池２００によって発電が開始される下限の電力値である。
【００５０】
また、ピーク電圧保持部１３には、電圧センサ５により測定された太陽電池２００の出力電圧ＶＰＶと、電力演算部１１により演算された太陽電池２００の出力電力ＰＰＶとが入力される。そして、入力された今回の出力電力ＰＰＶが、保持されている出力電力ＰＰＶよりも大きい場合、ピーク電圧保持部１３は、今回の出力電力ＰＰＶに対する出力電圧ＶＰＶを、新たな目標電圧ＶＰＶ＊＿ＧＰＥＡＫとして保持する。また、ピーク電圧保持部１３は、今回の出力電力ＰＰＶを、新たな出力電力ＰＰＶとして保持（更新）する。
【００５１】
ピーク電圧保持部１３は、スイープモード中に、上記のような処理（新たな目標電圧ＶＰＶ＊＿ＧＰＥＡＫの保持、新たな出力電力ＰＰＶの保持）を繰り返すことにより、電力演算部１１により演算された太陽電池２００の出力電力ＰＰＶの最大値に対応する太陽電池２００の出力電圧ＶＰＶ（ピーク電圧）が、目標電圧ＶＰＶ＊＿ＧＰＥＡＫとして保持される。
【００５２】
（低日射状態）
次に、図４を参照して、比較的日射量が小さい場合のパワーコンディショナ１００の運転（第１のケース）について説明する。たとえば、第１のケースは、朝方の低日射状態でパワーコンディショナ１００の運転が開始された場合に相当する。
【００５３】
図４（ａ）および（ｂ）に示すように、第１のケースでは、太陽電池２００の出力電圧ＶＰＶが開放電圧からＭＰＰＴ制御の下限の電圧ＶＬＯＷ＿ＬＩＭまで変化するまでの間（スイープモード中）、太陽電池２００の出力電力ＰＰＶが、常に、ＭＰＰＴ制御の開始レベルの電力ＰＭＰＰＴ未満になっている。なお、ＭＰＰＴ制御の開始レベルの電力ＰＭＰＰＴは、ＭＰＰＴ制御が開始される下限の電力値であり、予め設定されている。
【００５４】
そして、モード切替部１５は、時刻ｔ１において、太陽電池２００の出力電圧ＶＰＶがＭＰＰＴ制御の下限の電圧ＶＬＯＷ＿ＬＩＭに到達したことを確認する。つまり、モード切替部１５は、時刻ｔ１において、電圧スイープ部１２による電圧のスイープが完了したことを確認する。また、モード切替部１５は、ピーク電圧保持部１３に保持された出力電力ＰＰＶの最大値がＭＰＰＴ制御の開始レベルの電力ＰＭＰＰＴ未満であることを確認する。この場合、図３に示すように、電圧スイープ部１２は、スイープモードからグローバルピークモードに電力制御モードを切り替える。なお、グローバルピークモードの説明は後述する。
【００５５】
（高日射状態）
次に、図５を参照して、比較的日射量が大きい場合のパワーコンディショナ１００の運転（第２のケース）について説明する。たとえば、第２のケースは、高日射状態でパワーコンディショナ１００の運転が開始された場合に相当する。
【００５６】
図５（ａ）および（ｂ）に示すように、第２のケースでは、太陽電池２００の出力電圧ＶＰＶが開放電圧からＭＰＰＴ制御の下限の電圧ＶＬＯＷ＿ＬＩＭまで変化するまでの間（スイープモード中）に、太陽電池２００の出力電力ＰＰＶが、ＭＰＰＴ制御の開始レベルの電力ＰＭＰＰＴ以上になっている。
【００５７】
具体的には、モード切替部１５は、時刻ｔ２において、太陽電池２００の出力電圧ＶＰＶがＭＰＰＴ制御の開始レベルの電力ＰＭＰＰＴ以上になったことを確認する。ここで、モード切替部１５は、電圧スイープ部１２による電圧の変化を一旦停止させて、目標電圧ＶＰＶ＊＿ＳＷＥＥＰを一定値に固定する（図３参照）。具体的には、一定値は、太陽電池２００の出力電圧ＶＰＶがＭＰＰＴ制御の開始レベルの電力ＰＭＰＰＴ以上になった時点（時刻ｔ２）の目標電圧ＶＰＶ＊＿ＳＷＥＥＰである。そして、モード切替部１５は、その後、所定の時間（たとえば、１０秒）の間、太陽電池２００の出力電力ＰＰＶが、ＭＰＰＴ制御の開始レベルの電力ＰＭＰＰＴ以上に維持されている場合、モード切替部１５は、スイープモードからＭＰＰＴモードに切り替える（図３参照）。これにより、図５に示すように、時刻ｔ２１において、目標電圧が、目標電圧ＶＰＶ＊＿ＳＷＥＥＰから、目標電圧ＶＰＶ＊＿ＭＰＰＴに切り替えられる。その結果、時刻ｔ２１以降において、ＭＰＰＴ制御が開始される。なお、ＭＰＰＴモードの説明は後述する。
【００５８】
（日射量の急変）
次に、図６を参照して、日射量が急変した場合のパワーコンディショナ１００の運転（第３のケース）について説明する。たとえば、雲に隠れていた太陽が一時的に雲間から現れた場合などに相当する。
【００５９】
時刻ｔ３において、日射量の急変によって、太陽電池２００の出力電力ＰＰＶの特性が、曲線ａ（図６（ａ）参照）から、曲線ｂに変化したとする。そして、所定の時間が経過する前に、再び、太陽電池２００の出力電力ＰＰＶの特性が曲線ａに戻ったとする。ここで、電圧スイープ部１２は、時刻ｔ３において、太陽電池２００の出力電力ＰＰＶがＭＰＰＴ制御の開始レベルの電力ＰＭＰＰＴ以上になったことを確認して、目標電圧ＶＰＶ＊＿ＳＷＥＥＰを一定値に固定する。一方、電圧スイープ部１２は、時刻ｔ４において、太陽電池２００の出力電力ＰＰＶがＭＰＰＴ制御の開始レベルの電力ＰＭＰＰＴ未満になったことを確認して、太陽電池２００の出力電圧ＶＰＶの変化（スイープ）を再開する。この場合、モード切替部１５は、時刻ｔ３において、スイープモードからＭＰＰＴモードには切り替えない。これにより、パワーコンディショナ１００では、日射量の急変の際には、ＭＰＰＴモードには切り替えられないので、太陽電池２００の出力電力ＰＰＶが開始レベルの電力ＰＭＰＰＴ未満の状態においてＭＰＰＴモードに切り替えらえる（移行する）ことはない。また、日射量の急変の際には、電圧のスイープが一時停止される（目標電圧ＶＰＶ＊＿ＳＷＥＥＰが一定値に固定される）ので、曲線ｂの特性が、太陽電池２００の出力電圧ＶＰＶの特性であると認識される（誤認識される）ことはない。
【００６０】
また、上記のように、待機モード中において、太陽電池２００およびパワーコンディショナ１００を含むシステムが、所定の運転条件を満たした場合に、スイープモードに切り替えられる。すなわち、本実施形態のパワーコンディショナ１００においては、スイープモードが頻繁に行われることが無いので、スイープモードを頻繁に行うことに起因する電力ロスを低減することが可能になる。つまり、太陽電池２００の出力電圧ＶＰＶを変化（スイープ）する際には、出力電力ＰＰＶが比較的小さい状態が現れるので、スイープモードを頻繁に行うと、出力電力ＰＰＶが比較的小さい期間が長くなる。このため、電力ロスが比較的大きくなる。
【００６１】
また、メガソーラなどの大規模発電設備において、スイープモードを頻繁に行うと、スイープの動作に伴う電力の脈動が、系統電源３００に悪影響を及ぼす可能性がある。一方、本実施形態のパワーコンディショナ１００においては、スイープモードが頻繁に行われることが無いので、系統電源３００への悪影響を低減することが可能になる。
【００６２】
なお、図６に示す第３のケースでは、時刻ｔ５において、電力制御モードが、グローバルピークモードに切り替えられる。
【００６３】
〈グローバルピークモード〉
モード切替部１５によって、電力制御モードがグローバルピークモードに切り替えられた場合、ピーク電圧保持部１３に保持された目標電圧ＶＰＶ＊＿ＧＰＥＡＫが、モード切替部１５を介して有効電流制御部１６に出力される。たとえば、図４に示すように、時刻ｔ１において、目標電圧が、目標電圧ＶＰＶ＊＿ＳＷＥＥＰから、目標電圧ＶＰＶ＊＿ＧＰＥＡＫに切り替えられる。これにより、時刻ｔ１以降において、太陽電池２００の出力電力ＰＰＶが、ピーク電圧保持部１３に保持された目標電圧ＶＰＶ＊＿ＧＰＥＡＫに一致するように、インバータ２が制御される。すなわち、グローバルピークモードでは、スイープモードによって、太陽電池２００の出力電力ＰＰＶが最大値になった時の太陽電池２００の出力電圧ＶＰＶ（実測値）が、目標電圧ＶＰＶ＊＿ＳＷＥＥＰに設定される。すなわち、目標電圧ＶＰＶ＊＿ＳＷＥＥＰには、現在の太陽電池２００の状態が反映されている。これにより、太陽電池２００の温度が太陽電池２００の基準温度と異なるか否かに関わらず、低日射時においても、太陽電池２００から可及的に大電力が出力されるように、太陽電池２００の出力電力ＰＰＶが制御される。
【００６４】
〈ＭＰＰＴモード〉
モード切替部１５によって、電力制御モードがＭＰＰＴモードに切り替えられた場合、ＭＰＰＴ制御部１４は、山登り法を用いて、電力演算部１１により演算された出力電力ＰＰＶから目標電圧ＶＰＶ＊＿ＭＰＰＴを演算する。そして、ＭＰＰＴ制御部１４は、演算した目標電圧ＶＰＶ＊＿ＭＰＰＴを、モード切替部１５を介して有効電流制御部１６に出力する。たとえば、図５に示すように、時刻ｔ２１以降において、太陽電池２００の出力電力ＰＰＶが、目標電圧ＶＰＶ＊＿ＭＰＰＴに一致するように、インバータ２が制御される。
【００６５】
また、本実施形態では、図３に示すように、ＭＰＰＴモードにおいて、電力演算部１１により演算された出力電力ＰＰＶが、ＭＰＰＴ制御の開始レベルの電力ＰＭＰＰＴ未満になった場合、ＭＰＰＴ制御部１４は、出力電力ＰＰＶが電力ＰＭＰＰＴ未満になった時点の目標電圧ＶＰＶ＊＿ＭＰＰＴを保持して一定にする（電圧一定モード）。これにより、本実施形態のパワーコンディショナ１００においては、日没などによる低日射時においても、実行中のＭＰＰＴ制御が不安定にならないので、太陽電池２００による発電を安定的に継続することが可能になる。なお、目標電圧ＶＰＶ＊＿ＭＰＰＴが一定にされている場合において、出力電力ＰＰＶが、ＭＰＰＴ制御の開始レベルの電力ＰＭＰＰＴ以上になった場合、再びＭＰＰＴ制御が再開される。
【００６６】
（本実施形態の効果）
本実施形態では、以下のような効果を得ることができる。
【００６７】
本実施形態では、上記のように、太陽電池２００の出力電力ＰＰＶが、ＭＰＰＴ制御の開始レベルの電力ＰＭＰＰＴ未満である場合に、ＭＰＰＴ制御を行わずに、ピーク電圧保持部１３に保持されたピーク電圧値を目標電圧（目標電圧ＶＰＶ＊＿ＧＰＥＡＫ）として制御するように構成されている。これにより、ピーク電圧値は、周囲の環境に応じて変化する値であるので、ピーク電圧値を目標電圧として制御することによって、現在の環境における最大の（ピークの）電力を出力することができる。その結果、周囲の環境に応じた電力を適切に出力することができる。
【００６８】
また、本実施形態では、上記のように、太陽電池２００の出力電圧ＶＰＶと太陽電池２００の出力電力ＰＰＶとに基づいて、電圧スイープ部１２から出力される電圧（目標電圧ＶＰＶ＊＿ＳＷＥＥＰ）を目標電圧とするスイープモード、ピーク電圧保持部１３から出力される電圧（目標電圧ＶＰＶ＊＿ＧＰＥＡＫ）を目標電圧とするグローバルピークモード、または、ＭＰＰＴ制御部１４から出力される電圧（目標電圧ＶＰＶ＊＿ＭＰＰＴ）を目標電圧とするＭＰＰＴモードのいずれかのモードに切り替えるモード切替部１５を備える。これにより、モード切替部１５により、スイープモード、グローバルピークモードおよびＭＰＰＴモードのいずれかにモードを迅速に切り替えることができるので、周囲の環境に応じたモードに迅速に切り替えることができる。
【００６９】
また、本実施形態では、上記のように、スイープモードにおいて、太陽電池２００の出力電圧ＶＰＶを開放電圧からＭＰＰＴ制御の下限の電圧ＶＬＯＷ＿ＬＩＭまで変化させた場合において、常に、太陽電池２００の出力電力ＰＰＶがＭＰＰＴ制御の開始レベルの電力ＰＭＰＰＴ未満である場合、モード切替部１５は、スイープモードからグローバルピークモードに切り替えるように構成されている。これにより、太陽電池２００の出力電力ＰＰＶが常にＭＰＰＴ制御の開始レベルの電力ＰＭＰＰＴである比較的発電量の小さい環境において、確実に、グローバルピークモードに切り替えることができる。
【００７０】
また、本実施形態では、上記のように、グローバルピークモードにおいて、太陽電池２００の出力電力ＰＰＶがＭＰＰＴ制御の開始レベルの電力ＰＭＰＰＴ以上になった場合、モード切替部１５は、グローバルピークモードからＭＰＰＴモードに切り替えるように構成されている。これにより、周囲の環境が、比較的発電量の小さい環境（グローバルピークモード）から、比較的発電量を大きくすることが可能な環境に変化した場合でも、周囲の環境に応じた電力を適切に出力することができる。
【００７１】
また、本実施形態では、上記のように、スイープモードにおいて、太陽電池２００の出力電力ＰＰＶが、ＭＰＰＴ制御の開始レベルの電力ＰＭＰＰＴ以上になった場合、モード切替部１５は、スイープモードからＭＰＰＴモードに切り替えるように構成されている。これにより、電圧スイープ部１２によって太陽電池２００の出力電圧ＶＰＶを開放電圧からＭＰＰＴ制御の下限の電圧ＶＬＯＷ＿ＬＩＭまで変化させることなく、ＭＰＰＴモードに切り替えることができる。その結果、周囲の環境に応じた電力を迅速に出力することができる。
【００７２】
また、本実施形態では、上記のように、スイープモードにおいて、太陽電池２００の出力電力ＰＰＶが、ＭＰＰＴ制御の開始レベルの電力ＰＭＰＰＴ以上になった場合に、電圧スイープ部１２による電圧の変化を一旦停止させ、その後所定の時間の間、太陽電池２００の出力電力ＰＰＶが、ＭＰＰＴ制御の開始レベルの電力ＰＭＰＰＴ以上に維持されている場合、モード切替部１５は、スイープモードからＭＰＰＴモードに切り替えるように構成されている。これにより、一時的に太陽電池２００の出力電力ＰＰＶがＭＰＰＴ制御の開始レベルの電力ＰＭＰＰＴ以上になった場合には、ＭＰＰＴモードに切り替わらない。すなわち、ＭＰＰＴモードによる制御（ＭＰＰＴ制御）を行うのに適切でない比較的発電量の小さい環境で、ＭＰＰＴモードによる制御（ＭＰＰＴ制御）が行われるのを抑制することができる。
【００７３】
また、本実施形態では、上記のように、スイープモードは、太陽電池２００を系統電源３００に連系させる連系運転開始時に行われるように構成されている。これにより、連系運転開始時にピーク電圧値が取得されるので、連系運転開始時の発電量が比較的小さい場合でも、グローバルピークモードにスムーズに切り替えることができる。
【００７４】
また、本実施形態では、上記のように、ＭＰＰＴモードにおいて、太陽電池２００の出力電力ＰＰＶが、ＭＰＰＴ制御の開始レベルの電力ＰＭＰＰＴ未満になった場合、ＭＰＰＴ制御部１４から出力されていた電圧を目標電圧ＶＰＶ＊＿ＭＰＰＴとする。これにより、低日射時においても、太陽電池２００による発電を安定的に継続することができる。
【００７５】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７６】
たとえば、上記実施形態では、本発明のパワーコンディショナ１００を、太陽電池２００の出力電力ＰＰＶを制御するために用いる例について示したが、本発明はこれに限られない。たとえば、本発明のパワーコンディショナ１００を、風力発電装置や水力発電装置などのような、電圧や電流などの動作点によって変動する発発電電力源の出力電力を制御するために用いてもよい。
【００７７】
また、上記実施形態では、太陽電池２００の出力電圧ＶＰＶが、約１０秒間、ＭＰＰＴ制御の開始レベルの電力ＰＭＰＰＴ以上である場合に、スイープモードからＭＰＰＴモードに切り替えられる例について示したが、本発明はこれに限られない。たとえば、太陽電池２００の出力電圧ＶＰＶが、約１０秒間以外の期間の間、ＭＰＰＴ制御の開始レベルの電力ＰＭＰＰＴ以上である場合に、スイープモードからＭＰＰＴモードに切り替えてもよい。
【００７８】
また、上記実施形態では、太陽電池２００が１つ設けられている例について示したが、本発明はこれに限られない。たとえば、太陽電池２００は、複数設けられていてもよい。
【符号の説明】
【００７９】
１２  電圧スイープ部（電圧変化部）
１３  ピーク電圧保持部
１４  ＭＰＰＴ制御部（最大電力点追従制御部）
１００  パワーコンディショナ
２００  太陽電池（発電電力源）
３００  系統電源
【図１】
2018195225.tif 000003
【図２】
2018195225.tif 000004
【図３】
2018195225.tif 000005
【図４】
2018195225.tif 000006
【図５】
2018195225.tif 000007
【図６】
2018195225.tif 000008